(57)【要約】【課題】  障子の框内に浸入した水を下枠上面に排出することなく排水でき、室内側への漏水を防止できるサッシ窓の提供。【解決手段】障子の下面に框内に浸入した水を排水する水抜き穴２１２を形成する。下枠１２に、前記水抜き穴２１２の下方に位置する水受け穴３７１と、この水受け穴３７１に連通する排水路２３０と、排水弁２３４とを設ける。水抜き穴２１２、水受け穴３７１、排水路２３０を気密材３１で形成される気密ラインの室内側の空間に形成する。障子の框内に浸入した水を、水抜き穴２１２、水受け穴３７１、排水路２３０、排水弁２３４を介して室外に排水できるので、下枠１２上面に水が排出されることがなく、室内側への漏水を防止できる。【選択図】  図１６
2005256485.tif 000002
【特許請求の範囲】
【請求項１】
上枠、下枠および左右の縦枠を有する窓枠と、この窓枠内に開閉自在に支持された障子とを備えたサッシ窓であって、
前記障子は、面材と、この面材を保持する上框、下框および左右の縦框とを備え、
前記障子の室外側下端縁には、下方に突出する垂下片が形成され、
前記障子の下面には、框内に浸入した水を排水する水抜き穴が所定の位置に形成され、
前記下枠は、略フラットな上面と、前記障子を閉めた際に前記障子の水抜き穴の下方となる位置に形成されて前記障子の水抜き穴から排出される水が流入される水受け穴と、この水受け穴に連通された排水路と、排水路内の水を室外空間に排出する逆止弁とを備え、
前記障子の垂下片または下枠の一方には、障子を閉じた際に他方に当接してサッシ窓における室内空間と室外空間とを区画する気密ラインを構成する気密材が設けられ、前記水抜き穴、水受け穴および排水路は、前記気密ラインで区画された室内空間に形成されているサッシ窓。
【請求項２】
前記障子の下框は左右の端面が縦框の側面に当接された状態で接合され、
前記下框は、面材を保持する開口と、この開口内に浸入した水を排水するための排水路とが形成され、
前記縦框は、前記下框の排水路に連通する連通孔と、この連通孔に連通された排水路と、縦框の下端に設けられた摺動片とを備え、
前記摺動片は、前記縦框の排水路を流下する水を受ける水受け部と、この水受け部の水を下枠の前記水受け穴に排出する前記水抜き穴とを備える請求項１に記載のサッシ窓。
【請求項３】
前記下枠は、建物に固定される下枠本体と、前記障子を案内するレール部とを備え、
前記下枠の端部には、レール部と縦枠との間に配置されるコーナー部材が設けられ、このコーナー部材に前記水受け穴が形成されている請求項１または請求項２に記載のサッシ窓。
【請求項４】
前記障子は、室外側に配置された外障子および室内側に配置された内障子を備え、
前記下枠は、外障子および内障子をそれぞれ案内する室外側レール部および室内側レール部と、室内外の各レール部間に着脱自在に設けられたレール間上面部材とを備え、
前記各レール部およびレール間上面部材の各々の上端が略同一高さ位置に設けられている請求項１から請求項３のいずれかに記載のサッシ窓。
【請求項５】
前記室内外の各レール部間の空間は、各障子の召合せ部分に配置された風止板を挟んで、閉鎖位置にある内障子の室外側に形成される室外空間と、外障子の室内側に形成される室内空間とに区画され、
前記内障子の水抜き穴に対応する水受け穴は、内障子および下枠間の気密ラインよりも室内側に形成された内障子用排水路に連通され、
前記外障子の水抜き穴に対応する水受け穴は、前記レール部間に形成された室内空間によって構成される外障子用排水路に連通され、
前記内障子用排水路は、外障子用排水路に連通されている請求項４に記載のサッシ窓。
【請求項６】
前記下枠本体は、前記室内側レール部よりも室内側に設けられて上方に開口した室内側凹溝部と、室内外の各レール部間に設けられて上方に開口したレール間凹溝部とを有し、
前記室内側凹溝部には、室内側上面部材が着脱自在に取り付けられ、
前記内障子用排水路は、室内側凹溝部で形成され、かつ室内側上面部材によって室内側から視認できないように被覆され、
前記レール間凹溝部には、前記レール間上面部材が着脱自在に取り付けられ、
前記外障子用排水路は、レール間凹溝部で形成され、かつ前記レール間上面部材によって室内側から視認できないように被覆されている請求項５に記載のサッシ窓。
【請求項７】
前記下枠本体は、前記室外側レール部よりも室外側に設けられて上方に開口した室外側凹溝部を有し、この凹溝部には、室外側上面部材が着脱自在に取り付けられ、
この下枠本体には、室内側から室外側に向かって前記室内側上面部材、室内側レール部、室内側気密材、レール間上面部材、室外側レール部、室外側気密材、室外側上面部材の順に取り付けられており、
前記室内側気密材と前記レール間上面部材との間、および前記室外側気密材と前記室外側上面部材との間には、それぞれ隙間が形成され、これらの隙間には、前記室内外の各障子下端に設けられた垂下片が挿入され、これら各障子の垂下片の室内側側面に前記各気密材が当接している請求項６に記載のサッシ窓。
【請求項８】
前記下枠本体は、室内側に配置される室内部材と、室外側に配置される室外部材と、これら室内部材および室外部材を連結する断熱部材とを備えて構成され、
前記内障子用排水路は室内部材に形成され、外障子用排水路は室外部材に形成されている請求項１から請求項７のいずれかに記載のサッシ窓。
【発明の詳細な説明】
【技術分野】
【０００１】
本発明は、引違い窓や片引き窓等のサッシ窓に関し、下枠の上面が略フラットに形成され、室内外の床材上面との段差を小さくしたバリアフリータイプのサッシ窓等に適用できる。
【背景技術】
【０００２】
住宅等のテラスやバルコニー等に面した外壁位置には、居住者が室内からテラス等に出入りするための掃出し窓が設けられている。このような掃出し窓としては、外壁に固定された窓枠と、この窓枠内にスライド自在に支持された可動障子とを備えた、引違い窓や片引き窓等のサッシ窓が一般的である。
このサッシ窓としては、障子の下框に設けられた戸車を案内するガイドレールが下枠上面から突出して形成されたものが従来から広く利用されている。また、下枠において、室外の雨水等が室内側に吹き込まないように、室外側に向かって下がる段差を形成し、室外側のガイドレールを室内側のガイドレールよりも低い位置に設けた水密構造が一般的であるが、近年、居住者の高齢化や、車いす利用者の利便性等に配慮したバリアフリータイプの掃出し窓が提案されている（例えば、特許文献１参照）。
【０００３】
特許文献１に記載された掃出し窓は、下枠上面が略フラット面とされ、このフラット面を戸車を介して開閉される障子を有している。そして、障子の下框室外側側壁から垂下するスライド片を設け、下枠にはこのスライド片をガイドする溝を形成し、障子の室外面に沿って流下する雨水をこの溝から下枠凹部内に案内し、さらに下枠室外側に排水するようにしている。
【０００４】
また、障子の下框内に浸入した水を下框に形成した排水孔を介して下枠上面に排水する構造も知られている（例えば、特許文献２参照）。
【０００５】
【特許文献１】特開２００３−１７６６７１号公報
【特許文献２】特開平１１−８１８０６号公報
【発明の開示】
【発明が解決しようとする課題】
【０００６】
しかしながら、前記特許文献１に記載のサッシでは、障子の室外面を落下する雨水は下枠内に案内できるが、障子の下框内に浸入した雨水の排水に関しては何ら開示されていない。
下框内に浸入した雨水の排水としては、特許文献２に記載のサッシのように、下框に排水孔を設け、この排水孔から下枠上面に排出することが考えられる。
【０００７】
しかしながら、特許文献１のような下枠上面が略フラットなサッシでは、下枠上面に雨水が落下すると、その雨水がフラット面に残り、室内側から視認できてユーザーに不安感を与えたり、室内側に漏水する虞があるという問題が発生する。
【０００８】
本発明の目的は、障子の框内に浸入した水を下枠上面に排出することなく排水でき、室内側への漏水を防止できるサッシ窓を提供することにある。
【課題を解決するための手段】
【０００９】
本発明のサッシ窓は、上枠、下枠および左右の縦枠を有する窓枠と、この窓枠内に開閉自在に支持された障子とを備えたサッシ窓であって、前記障子は、面材と、この面材を保持する上框、下框および左右の縦框とを備え、前記障子の室外側下端縁には、下方に突出する垂下片が形成され、前記障子の下面には、框内に浸入した水を排水する水抜き穴が所定の位置に形成され、前記下枠は、略フラットな上面と、前記障子を閉めた際に前記障子の水抜き穴の下方となる位置に形成されて前記障子の水抜き穴から排出される水が流入される水受け穴と、この水受け穴に連通された排水路と、排水路内の水を室外空間に排出する逆止弁とを備え、前記障子の垂下片または下枠の一方には、障子を閉じた際に他方に当接してサッシ窓における室内空間と室外空間とを区画する気密ラインを構成する気密材が設けられ、前記水抜き穴、水受け穴および排水路は、前記気密ラインで区画された室内空間に形成されていることを特徴とする。
【００１０】
このような構成によれば、障子の框内に浸入した水は、障子の下面に形成された水抜き穴から下枠の水受け穴内に流入する。そして、水受け穴に流入した水は、下枠に形成された排水路および逆止弁を介して外部に排出される。従って、障子から排出される水を下枠上面に排出するのではなく、下枠に形成された水受け穴を介して排水路に排出しているので、下枠上面が略フラットなサッシであっても、その雨水が下枠上面に残ることがなく、雨水が室内側から視認されることもなく、ユーザーに安心感を与えることができるとともに、室内側への漏水を防止することができる。
また、前記水抜き穴、水受け穴、排水路は、気密ラインの室内側の空間に形成され、排水路の水は逆止弁を介して室外側に排出される。従って、排水路内の水が逆止弁を介して室外空間に排出される時以外は、室内空間に位置するこれらの部分が室外空間と連通することがないので、断熱性が損なわれることがないと共に、風等によって排水路内の水が室内側に吹き込むこともなく、室内側への漏水をより確実に防止できる。
【００１１】
ここで、前記障子の下框は左右の端面が縦框の側面に当接された状態で接合され、前記下框には、面材を保持する開口と、この開口内に浸入した水を排水するための排水路とが形成され、前記縦框は、前記下框の排水路に連通する連通孔と、この連通孔に連通された排水路と、縦框の下端に設けられた摺動片とを備え、前記摺動片は、前記縦框の排水路を流下する水を受ける水受け部と、この水受け部の水を下枠の前記水受け穴に排出する前記水抜き穴とを備えることが好ましい。
【００１２】
このような構成によれば、下框の左右の端面に開口された排水路を、縦框内に形成された排水路に連通するための連通孔を形成し、かつ摺動片に水受け部および水抜き穴を形成すればよいため、框への加工を最小限にでき、容易に製造できる。
【００１３】
また、前記下枠は、建物に固定される下枠本体と、前記障子を案内するレール部とを備え、前記下枠の端部には、レール部と縦枠との間に配置されるコーナー部材が設けられ、このコーナー部材に前記水受け穴が形成されていることが好ましい。
このような構成によれば、コーナー部材に水受け穴を形成しているので、レール部分に水受け穴を形成する必要が無く、下枠の加工が不要になって容易に製造できる。また、レール部分に水受け穴を形成する場合、レールの室外側あるいは室内側にずらして形成しなければならず、水受け穴の形成位置や大きさが制限されるが、レールが設けられていない部分に水受け穴を形成すれば、形成位置や大きさの制限が少なくなり、容易に製造できる。
【００１４】
ここで、前記障子は、室外側に配置された外障子および室内側に配置された内障子を備え、前記下枠は、外障子および内障子をそれぞれ案内する室外側レール部および室内側レール部と、室内外の各レール部間に着脱自在に設けられたレール間上面部材とを備え、前記各レール部およびレール間上面部材の各々の上端が略同一高さ位置に設けられていることが好ましい。
ここで、各レール部等の各々の上端が略同一高さ位置に設けられるとは、同一の高さ位置に設けられる場合に限らず、居住者や車いす等の移動に際し、障害とならない程度の異なる高さ位置に設けられる場合も含む意味である。
【００１５】
このような構成によれば、レール部間の隙間にレール間上面部材があるため、下枠の上面を隙間が小さいフラットな上面とすることができると共に、下框からの排水が下枠上面に残ってしまうこともなく、利用者に不安感を与えず、室内側への漏水も防止できる。
【００１６】
また、前記室内外の各レール部間の空間は、各障子の召合せ部分に配置された風止板を挟んで、閉鎖位置にある内障子の室外側に形成される室外空間と、外障子の室内側に形成される室内空間とに区画され、前記内障子の水抜き穴に対応する水受け穴は、内障子および下枠間の気密ラインよりも室内側に形成された内障子用排水路に連通され、前記外障子の水抜き穴に対応する水受け穴は、前記レール部間に形成された室内空間によって構成される外障子用排水路に連通され、前記内障子用排水路は、外障子用排水路に連通されていることが好ましい。
このような構成によれば、内障子用排水路に流入した水は、外障子用排水路に流入し、この外障子用排水路を介して室外側に排出される。このため、外部への排出口は外障子用排水路のみに形成すればよく、逆止弁を有する排出口の形成箇所を少なくでき、その分、製造コストを低減できる。
【００１７】
さらに、前記下枠本体は、前記室内側レール部よりも室内側に設けられて上方に開口した室内側凹溝部と、室内外の各レール部間に設けられて上方に開口したレール間凹溝部とを有し、前記室内側凹溝部には、室内側上面部材が着脱自在に取り付けられ、前記内障子用排水路は、室内側凹溝部で形成され、かつ室内側上面部材によって室内側から視認できないように被覆され、前記レール間凹溝部には、前記レール間上面部材が着脱自在に取り付けられ、前記外障子用排水路は、レール間凹溝部で形成され、かつ前記レール間上面部材によって室内側から視認できないように被覆されていることが好ましい。
このような構成によれば、室内側上面部材及びレール間上面部材を取り外すことで、内障子用排水路である室内側凹溝部及び外障子用排水路であるレール間凹溝部を容易に清掃できる。また、内障子用排水路は室内側上面部材で被覆され、外障子用排水路はレール間上面部材で被覆されているので、各排水路を下枠に形成した凹溝部分で構成できるため、下枠に中空溝を形成して排水路を構成する場合に比べて下枠を容易に製造できる。
【００１８】
また、前記下枠本体は、前記室外側レール部よりも室外側に設けられて上方に開口した室外側凹溝部を有し、この凹溝部には、室外側上面部材が着脱自在に取り付けられ、この下枠本体には、室内側から室外側に向かって前記室内側上面部材、室内側レール部、室内側気密材、レール間上面部材、室外側レール部、室外側気密材、室外側上面部材の順に取り付けられており、前記室内側気密材と前記レール間上面部材との間、および前記室外側気密材と前記室外側上面部材との間には、それぞれ隙間が形成され、これらの隙間には、前記室内外の各障子下端に設けられた垂下片が挿入され、これら各障子の垂下片の室内側側面に前記各気密材が当接していることが好ましい。
このような構成によれば、室内外のレール部の室外側に各々隣接して気密材が配置され、これらの気密材の室外側に各々隙間が形成され、これらの隙間に挿入された障子の垂下片に気密材が当接することで、下枠と障子との間の気密ラインが形成される。すなわち、気密材に沿って設けられる隙間としては、障子の垂下片が挿入可能な最小限の幅寸法を有していればよく、最小限の隙間を設けるだけで気密ラインを形成することができるので、大きな隙間や凹凸を設ける必要がないことから、下枠上面をさらにフラットに形成することができる。
また、このような隙間に障子の垂下片を挿入することで、窓の外観上、障子下端縁と下枠上面との隙間が見えず、外観意匠性が向上するとともに、障子下端と下枠との間に室外側からバール等の工具を差し込んで障子を外す行為が防止でき、防犯性を向上させることができる。
【００１９】
なお、各レール部、各気密材、各上面部材の上端は略同一高さ位置に設けられていることが好ましい。この場合、下枠上面のフラット感をより一層向上させることができ、バリアフリー対応の窓とすることができる。
【００２０】
また、本発明のサッシ窓では、前記下枠本体は、室内側に配置される室内部材と、室外側に配置される室外部材と、これら室内部材および室外部材を連結する断熱部材とを備えて構成され、前記内障子用排水路は室内部材に形成され、外障子用排水路は室外部材に形成されていることが好ましい。
このような構成によれば、室内部材と室外部材とが断熱部材で連結された断熱サッシを、下枠上面がフラットに形成されたバリアフリー対応のサッシ窓に適用することができる。
【発明を実施するための最良の形態】
【００２１】
以下、本発明の各実施形態を図面に基づいて説明する。
〔第１実施形態〕
図１は、本発明の第１実施形態に係るサッシ窓である引違い窓１０が設けられた建物の一部を示す断面図である。図２、図３は、引違い窓１０を示す縦断面図、および横断面図である。
【００２２】
図１〜３において、建物の外壁部分に設けられた引違い窓１０は、建物の室内空間と室外空間とを仕切るもので、気密性や水密性、遮音性等について所定の性能を有している。建物は、例えば戸建て住宅であって、引違い窓１０の室外にはテラス１が設けられており、このテラス１には、再生木等からなるデッキ材２が適宜な支持材上に設置されている。そして、このデッキ材２の上面は、室内床面３と略同一の高さ位置となっている。引違い窓１０では、後述する下枠１２の上面がデッキ材２および室内床面３と略同一の高さ位置でフラットに形成されている。従って、居住者が引違い窓１０を通って室内外間を往来する際に、室内外床レベルの段差がないので上り下りする必要がなく、楽に出入りできるとともに、車いすを利用する居住者であっても容易に出入りできるようになっている。すなわち、引違い窓１０は、室内外の床段差を小さくした、バリアフリータイプ（ユニバーサルデザイン）の掃出し窓である。
【００２３】
引違い窓１０は、上枠１１、下枠１２、および左右の縦枠１３を四周枠組みした窓枠１４と、この窓枠１４の内側に開閉自在に支持された室内外一組の障子１５とを備えて構成されている。窓枠１４は、建物の外壁や柱等の躯体に固定されている。障子１５は、上框１６、下框１７、および左右の縦框１８を四周框組みした内部に、面材、例えば、ガラスパネル１９を嵌め込んで構成されている。また、一組の障子１５の室外側には、網戸２０が窓枠１４内に開閉自在に支持されている。網戸２０は、四周枠組みされた網戸枠２１と、この網戸枠２１に固定されたネット２２とを有して構成されている。一組の障子１５は、室内側の障子（内障子）１５Ａと、室外側の障子（外障子）１５Ｂとが、窓枠１４の見付け方向（図３中、左右方向）略中央位置の召合せ部分２３で重なって閉じるようになっている。そして、室内外の障子１５Ａ，１５Ｂは、召合せ部分２３の縦框（召合せ框）１８Ａ，１８Ｂに設けられた引戸錠であるクレセント２４により施錠できるようになっている。さらに、室内外の障子１５Ａ，１５Ｂにおける戸先側の縦框（戸先框）１８Ｃ，１８Ｄには、各障子１５Ａ，１５Ｂを開閉操作するためのハンドル２５が取り付けられている。
【００２４】
窓枠１４の上枠１１、下枠１２、および縦枠１３は、それぞれの室内側に配置される室内部材１１１，１２１，１３１と、室外側に配置される室外部材１１２，１２２，１３２と、これらアルミ押出形材製の室内部材１１１，１２１，１３１および室外部材１１２，１２２，１３２を連結する断熱部材１１３，１２３，１３３とを備えて構成されている。また、障子１５の上框１６、下框１７、および縦框１８Ａ，１８Ｃ，１８Ｄは、それぞれの室内側に配置される室内部材１６１，１７１，１８１と、室外側に配置される室外部材１６２，１７２，１８２と、これらアルミ押出形材製の室内部材１６１，１７１，１８１および室外部材１６２，１７２，１８２を連結する断熱部材１６３，１７３，１８３とを備えて構成されている。すなわち、引違い窓１０は、窓枠１４および障子１５における室内外間の熱の伝達が抑制された断熱サッシから構成されており、冷暖房効率に優れるとともに、冬期における結露の発生が防止できるようになっている。
【００２５】
次に、引違い窓１０における下枠１２の構造について、図４〜８に基づいて詳しく説明する。図４は、下枠１２を示す縦断面図である。図５、６は、それぞれ下枠１２を示す斜視図、および分解斜視図である。図７、８は、それぞれ下枠１２の中央部分を断面して示す斜視図、および分解斜視図である。
【００２６】
図４〜８において、下枠１２は、建物に固定される下枠本体１２４と、障子１５の戸車１７４を案内する室内側および室外側のレール部３０（３０Ａ，３０Ｂ）と、障子１５に当接する室内側および室外側の気密材３１（３１Ａ，３１Ｂ）と、室内外の各レール部３０Ａ，３０Ｂ間に着脱自在に設けられたレール間上面部材３２と、室内側レール部３０Ａよりも室内側に着脱自在に設けられた室内側上面部材３３と、室外側レール部３０Ｂよりも室外側に着脱自在に設けられた室外側上面部材としての網戸レール３４とを備えて構成されている。また、下枠１２の室内側には、当該下枠１２を室内の床材に固定するための固定部材であるアングル材３５が下枠本体１２４の室内部材１２１に対して着脱自在に設けられている。
【００２７】
レール部３０はアルミ押出形材製であり、気密材３１はポリ塩化ビニル（ＰＶＣ）製であって、それぞれ下枠本体１２４に着脱可能に取り付けられている。なお、気密材３１の材質は、前述したものに限らず、特に限定されない。
そして、レール部３０の上面には、上方に突出した戸車案内部３０１が形成されており、この戸車案内部３０１の上端は、気密材３１の上面よりも上方に設けられている。また、網戸レール３４の上面には、網戸２０の戸車を案内する網戸案内部としてのガイド溝３４１が形成されている。
ここで、レール間上面部材３２、室内側上面部材３３、網戸レール３４、およびアングル材３５の少なくとも上面に、木目模様のラミネートフィルムを貼り付けてもよい。
【００２８】
また、レール間上面部材３２、室内側上面部材３３、および網戸レール３４の上面は、略水平に形成されるとともに、室内外のレール部３０Ａ，３０Ｂ、気密材３１Ａ，３１Ｂ、およびアングル材３５と略同一高さ位置に設けられている。つまり、下枠本体１２４には、室内側から室外側に向かって、アングル材３５、室内側上面部材３３、室内側レール部３０Ａ、室内側気密材３１Ａ、レール間上面部材３２、室外側レール部３０Ｂ、室外側気密材３１Ｂ、および網戸レール３４の順に取り付けられており、これらの上面が略フラットに形成されている。
【００２９】
室内側気密材３１Ａとレール間上面部材３２との間、および室外側気密材３１Ｂと網戸レール３４との間には、それぞれ隙間が形成されており、これらの隙間に室内外の障子１５Ａ，１５Ｂの下框１７に形成された垂下片１７５が挿入されている。そして、これらの垂下片１７５の室内側側面に室内外の気密材３１Ａ，３１Ｂの先端が当接して気密ラインが形成されるようになっている。このように室内外の各気密材３１Ａ，３１Ｂの室外側に設けられる隙間の幅寸法は、障子１５の下框１７の垂下片１７５を挿通できる必要最低限の寸法になっていればよい。
また、室内側上面部材３３、室内側レール部３０Ａ、および室内側気密材３１Ａは、互いに隙間なく接触して取り付けられ、レール間上面部材３２、室外側レール部３０Ｂ、および室外側気密材３１Ｂは、互いに隙間なく接触して取り付けられている。
【００３０】
下枠本体１２４は、前述の室内部材１２１、室外部材１２２、および断熱部材１２３から構成されている。室内部材１２１の上部室内端には、上方に突出した室内側側壁部１２１Ａが形成され、この室内側側壁部１２１Ａに対向して室外側には、室内側レール部３０Ａを支持する室内側レール支持部１２１Ｂと、この室内側レール支持部１２１Ｂの室外側に隣接して室内側気密材３１Ａを保持する室内側気密材保持部１２１Ｃとが形成されている。そして、室内側側壁部１２１Ａと室内側レール支持部１２１Ｂとの間で上方に開口した室内側凹溝部１２１Ｄに室内側上面部材３３が取り付けられている。また、室内側側壁部１２１Ａの上端には、アングル材３５が係合可能になっている。
【００３１】
下枠本体１２４における室外部材１２２の上部室外端には、上方に突出した室外側側壁部１２２Ａが形成され、この室外側側壁部１２２Ａに対向して室内側には、室外側レール部３０Ｂを支持する室外側レール支持部１２２Ｂと、この室外側レール支持部１２２Ｂの室外側に隣接して室外側気密材３１Ｂを保持する室外側気密材保持部１２２Ｃとが形成されている。そして、室外側側壁部１２２Ａと室外側気密材保持部１２２Ｃとの間で上方に開口した室外側凹溝部１２２Ｄに網戸レール３４が取り付けられている。また、室外側レール支持部１２２Ｂの室内側には、支持部材３６が係止されており、この支持部材３６上にレール間上面部材３２が取り付けられている。
【００３２】
以上のように下枠本体１２４に設けられた室内外のレール支持部１２１Ｂ，１２２Ｂは、上方に開口した凹溝状に形成されており、その開口部分に設けられた突起と、室内外のレール部３０Ａ，３０Ｂ下端に設けた係止片とが係合可能になっている。このように係合させることで、レール部３０Ａ，３０Ｂが下枠本体１２４に支持され、容易に外れないようになっている。そして、レール部３０Ａ，３０Ｂは、その室内側側面に形成された溝部にドライバ等の工具を差し込み、上方に持ち上げることで、レール支持部１２１Ｂ，１２２Ｂから取り外すことができるようになっている。また、室内外の気密材保持部１２１Ｃ，１２２Ｃは、上方に開口した断面略半円形の凹溝状に形成されている。そして、気密材３１Ａ，３１Ｂは、その下部に設けた略円柱状の係止部を気密材保持部１２１Ｃ，１２２Ｃに圧入することで、下枠本体１２４に保持され、上方に引っ張り上げることで、気密材保持部１２１Ｃ，１２２Ｃから取り外すことができるようになっている。
【００３３】
次に、図５、６に示すように、室内外のレール部３０Ａ，３０Ｂおよび気密材３１Ａ，３１Ｂは、それぞれ下枠１２の長手方向略全長に渡る長さ寸法を有し、途中で分割されず一体に形成されている。
また、網戸レール３４は、断面略コ字形のアルミ押出形材製であって、下枠１２の長手方向略全長に渡る長さ寸法を有して一体に形成され、その両端部が下枠本体１２４の室外部材１２２にビス止め固定されている。なお、網戸レール３４は、下枠本体１２４に固定された別部品に対してビス止め固定することで下枠本体１２４に固定してもよい。
【００３４】
レール間上面部材３２は、下枠１２の長手方向途中位置で四分割されており、図５、６中、下方左側から第１〜第４のレール間上面部材３２Ａ，３２Ｂ，３２Ｃ，３２Ｄの４つの部材から構成されている。
そして、障子１５を閉じた際にその上面が室内側空間に表出する（位置する）レール間上面部材３２Ａ，３２Ｂは、角形中空形状の樹脂押出形材製のレール間上面部材本体部３２１と、このレール間上面部材本体部３２１の両端に取り付けられた取手部３２２とを有して形成されている。
一方、障子１５を閉じた際にその上面が室外側空間に表出する（位置する）レール間上面部材３２Ｃ，３２Ｄは、角形中空形状のアルミ押出形材製のレール間上面部材本体部３２１と、このレール間上面部材本体部３２１の両端に取り付けられた取手部３２２とを有して形成されている。
取手部３２２は、樹脂製であって、レール間上面部材３２を着脱する際に手で掴むための凹みを有している。
なお、樹脂押出形材製のレール間上面部材３２Ａ，３２Ｂは、アルミ製の支持部材３６とビス等で連結することで温度変化や経年変化等によって生じる樹脂特有の伸びや縮を抑えることができるとともに、レール間上面部材３２Ａ，３２Ｂの上方からかかる荷重を支持部材３６で支えるように構成されている。
また、アルミ押出形材製のレール間上面部材３２Ｃ，３２Ｄは、レール間上面部材３２Ａ，３２Ｂと同様に、支持部材３６を介して下枠本体１２４に取り付けてもよいし、レール間上面部材３２Ｃ，３２Ｄと支持部材３６とを一体的に形成してもよい。
【００３５】
第１のレール間上面部材３２Ａは、一端側（図５、６中、下方左側）の取手部３２２を下枠本体１２４に設けたコーナー部材３７に当接し、他端側の取手部３２２を第２のレール間上面部材３２Ｂの取手部３２２に当接して取り付けられている。第２のレール間上面部材３２Ｂは、図７、８に示すように、第１のレール間上面部材３２Ａと反対側の取手部３２２を下枠本体１２４に設けた風止板３８に当接して取り付けられている。第３のレール間上面部材３２Ｃは、一端側の取手部３２２を風止板３８に当接し、他端側の取手部３２２を第４のレール間上面部材３２Ｄの取手部３２２に当接して取り付けられている。第４のレール間上面部材３２Ｄは、第３のレール間上面部材３２Ｃと反対側の取手部３２２を縦枠１３側面に当接して取り付けられている。そして、レール間上面部材３２は、室内外の障子１５Ａ，１５Ｂを窓枠１４のいずれか一方側に寄せた状態で、他方側の第１のレール間上面部材３２Ａ（または第４のレール間上面部材３２Ｄ）を取り外し、次いで第２のレール間上面部材３２Ｂ（または第３のレール間上面部材３２Ｃ）を他方側にスライドさせて取り外すことができるようになっている。
【００３６】
室内側上面部材３３は、下枠１２の長手方向途中位置で二分割されており、図５、６中、下方左側から第１および第２の室内側上面部材３３Ａ，３３Ｂの２つの部材から構成されている。各室内側上面部材３３Ａ，３３Ｂは、断面略Ｌ字形のアルミ押出形材製の室内側上面部材本体部３３１と、この室内側上面部材本体部３３１の縦枠１３側端部に取り付けられた取手部３３２とを有して形成されている。そして、第１および第２の室内側上面部材３３Ａ，３３Ｂは、図７、８に示すように、互いの下枠中央側端部を当接するとともに、図５、６に示すように、第１の室内側上面部材３３Ａの取手部３３２をコーナー部材３７に当接し、第２の室内側上面部材３３Ｂの取手部３２２をコーナー部材３９に当接して取り付けられている。そして、取手部３３２は、その一部の押し下げ操作により他の一部が上方に突出するようになっており、この突出した部分を引き上げることで、室内側上面部材３３を取り外すことができるようになっている。
【００３７】
以上において、レール部３０は、上方に突出した凸状の戸車案内部３０１（図４）を有して形成されていたが、これに限らず、図９に示すように、上面を凹ませた凹状の戸車案内部３０２を有するレール部３０を採用してもよい。
すなわち、凸状または凹状いずれかの戸車案内部３０１，３０２を選択することができ、いずれのレール部３０を用いた場合でも、レール支持部１２１Ｂ，１２２Ｂの形状は変わらず、下枠本体１２４を共通化できるようになっている。
【００３８】
［障子の排水構造］
次に、障子１５Ａ，１５Ｂ内に浸入した雨水等の排水構造に関して図１０から図２４を参照して説明する。なお、図１０〜１６は、外障子１５Ｂの戸先框１８Ｄ側の排水構造を示し、図１７〜２３は、内障子１５Ａの戸先框１８Ｃ側の排水構造を示す。
【００３９】
各障子１５Ａ，１５Ｂの下框１７は、図１０，１７に示すように、ガラスパネル１９を保持する保持溝１７６と排水路１７７とを備えている。排水路１７７は、室内部材１７１、室外部材１７２、断熱部材１７３で囲まれた中空部で構成されている。保持溝１７６の下面には、複数の排水孔１７８が形成され、保持溝１７６内に浸入した雨水を、排水孔１７８を介して排水路１７７内に排出可能に構成されている。なお、本実施形態では、排水孔１７８は、断熱部材１７３や、室内部材１７１において断熱部材１７３を保持するフランジ部分等に形成すればよい。
【００４０】
下框１７は、押出成形によって長手方向に連続して形成されているので、排水路１７７も下框１７の長手方向に連続して形成されている。このため、排水路１７７の左右両端面は開口されており、この端面は縦框１８の内側面、具体的には縦框１８においてガラスパネル１９を保持する保持溝１８６の底面に当接されている。
図１１，１８に示すように、縦框１８において、下框１７の端面が当接された内側面には開口１８４が形成されている。この開口１８４の高さ位置は、前記排水路１７７の高さ位置に合わせており、開口１８４は排水路１７７に連通している。
【００４１】
縦框１８は、前記保持溝１８６と排水路１８７とを備えている。排水路１８７は、室内部材１８１、室外部材１８２、断熱部材１８３で囲まれた中空部で構成されている。縦框１８も押出成形で形成されるため、排水路１８７も上下方向に連続して形成されている。
なお、本実施形態においては、縦框１８の２本の断熱部材１８３のうち、保持溝１８６側に設けられた断熱部材１８３の下端部は、縦框１８の室内部材１８１、室外部材１８２の下端まで延長されておらず、下端から所定寸法上方の位置までしか設けられていない。そして、この断熱部材１８３の下方には、摺動片２１０，２２０がそれぞれ配置され、各摺動片２１０，２２０とその上方の断熱部材１８３との間に前記開口１８４がそれぞれ形成されている。
従って、前記開口１８４は、室内部材１８１、室外部材１８２、各断熱部材１８３で囲まれて区画された排水路１８７に連通している。
【００４２】
外障子１５Ｂの戸先框１８Ｄの下端には摺動片２１０が取り付けられ、内障子１５Ａの戸先框１８Ｃの下端には摺動片２２０が取り付けられている。
摺動片２１０は、図１２に示すように、縦框１８Ｄの下面開口を塞ぐ蓋部２１１を備え、この蓋部２１１の下面に水抜き穴２１２が形成されている。
摺動片２２０は、図１９（Ａ），（Ｂ）に示すように、縦框１８Ｃの下面開口を塞ぐ蓋部２２１を備え、この蓋部２２１の下面に水抜き穴２２２が形成されている。
【００４３】
下枠１２において、外障子１５Ｂの縦框１８Ｄが当接される縦枠１３との接合部分（コーナー部分）に配置されたコーナー部材３７は、図１３に示すように、水受け穴３７１が形成されている。
具体的には、コーナー部材３７は、図１４，１５にも示すように、略ボックス状に形成され、その上面に水受け穴３７１を区画形成する切欠３７２が形成されている。また、コーナー部材３７の室外側側面には、図１６に示すように、下枠１２の室外側レール支持部１２２Ｂに係合する係合突起３７３が突設されている。
コーナー部材３７は、例えば、下枠１２の端面から挿入し、係合突起３７３を室外側レール支持部１２２Ｂに係合することなどで取り付けられている。この際、コーナー部材３７の上面部分の室外側端面は気密材３１（３１Ｂ）に当接されており、この気密材３１Ｂおよび切欠３７２で区画される穴部分で水受け穴３７１が構成されている。
【００４４】
一方、下枠１２において、内障子１５Ａの縦框１８Ｃが当接される縦枠１３との接合部分に配置されたコーナー部材３９は、図２０に示すように、水受け穴３９１が形成されている。
具体的には、コーナー部材３９は、図２１，２２にも示すように、略ボックス状に形成され、その上面に水受け穴３９１を形成する傾斜片３９２が形成されている。傾斜片３９２の室外側端縁は、コーナー部材３９の室外側端縁よりも室内側に引っ込んでおり、図２３に示すように、コーナー部材３９の室外端縁を気密材３１Ａに当接させた際に、傾斜片３９２と気密材３１Ａとの間に水受け穴３９１が形成されている。
【００４５】
下枠１２の室外側レール支持部１２２Ｂの一部分は、前記水受け穴３７１から流入した水を下方に落とすために切り欠かれている。この切欠部分は、係合突起３７３に対して下枠１２の長手方向にずれた位置に形成されている。
従って、水受け穴３７１から流下した水は、樋状に形成されている室外側レール支持部１２２Ｂで受けられ、レール支持部１２２Ｂの切欠部分から落下する。この落下した水は、下枠１２において、各レール支持部１２１Ｂ，１２２Ｂ間に形成されたレール間凹溝部１２５に落下する。なお、各レール支持部１２１Ｂ，１２２Ｂ間のレール間凹溝部１２５は、風止板３８によって外障子１５Ｂの室内側に位置する室内空間と、内障子１５Ａの室外側に位置する室外空間とに区画されており、レール間凹溝部１２５の室内空間によって下枠１２の排水路（外障子用排水路）２３０が形成されている。つまり、下枠１２部分においては、気密材３１Ｂ、風止板３８、気密材３１Ａによって気密ラインが形成されているので、内障子１５Ａが配置されている領域においては、気密材３１Ａの室内側が室内空間とされ、外障子１５Ｂが配置されている領域においては、気密材３１Ｂの室内側が室内空間とされている。
なお、図１６に示すように、この排水路２３０の底面は室外側に向かって斜め下方となるように傾斜され、流入した水を排水路２３０の室外側の側壁２３１側に案内するように構成されている。
【００４６】
側壁２３１には、排水孔２３２が１つあるいは複数形成されている。この排水孔２３２の形成位置は適宜設定できるが、本実施形態では、図１３に示すように、水受け穴３７１に対して下枠１２の長手方向にずれた位置、特に、水受け穴３７１よりも召合せ框１８Ｂ側にずれた位置に形成されている。
そして、この排水孔２３２には、排水弁（逆止弁）２３４を有する排水弁部材２３３が取り付けられている。
このため、排水路２３０に流入した水は、排水孔２３２から排水弁部材２３３内に流入し、その流入した水によって排水弁２３４に加わる圧力が、この排水弁２３４に加わる外気圧よりも大きくなった場合のみ排水弁２３４が開いて室外側に排水される。
【００４７】
一方、下枠１２の室内側レール支持部１２１Ｂの一部分も、前記水受け穴３９１から流入した水を下方に落とすために切り欠かれている。この切欠部分の形成位置は、特に限定されないが、コーナー部材３９の配置位置に対して下枠１２の長手方向にずれた位置に形成されている。
従って、水受け穴３９１から流下した水は、樋状に形成されている室内側レール支持部１２１Ｂで受けられ、その切欠部分から下枠１２の室内側凹溝部１２１Ｄに落下する。従って、この室内側凹溝部１２１Ｄによって下枠１２の排水路（内障子用排水路）２４０が形成されている。なお、図２３に示すように、この排水路２４０の底面は室外側に向かって斜め下方となるように傾斜され、流入した水を排水路２４０の室外側の側壁２４１部分に案内するように構成されている。
【００４８】
室内側凹溝部１２１Ｄは、下枠１２の長手方向全長に渡って形成されている。そして、図２４に示すように、排水路２４０（室内側凹溝部１２１Ｄ）の側壁２４１において、障子を閉じた際に外障子１５Ｂが配置される領域に、排水孔２４２が１つあるいは複数形成されている。この排水孔２４２の形成位置は適宜設定できるが、本実施形態では、外障子１５Ｂ領域において、召合せ框１８Ａに近い位置に形成されている。
排水孔２４２に対応して支持部材３６にも排水孔３６１が形成されている。従って、排水路２４０から排水孔２４２を介して排出された水は、断熱部材１２３の上面および排水孔３６１を介して排水路２３０に流入する。そして、この水は排水路２３０に形成された前記排水孔２３２および排水弁部材２３３を介して室外に排水される。
【００４９】
従って、各障子１５Ａ，１５Ｂにおいて、保持溝１７６，１８６に浸入した水は、排水孔１７８、排水路１７７、開口１８４、排水路１８７を介して各摺動片２１０，２２０の蓋部２１１，２２１で受けられ、水抜き穴２１２，２２２から落下する。
各障子１５Ａ，１５Ｂが閉められている状態では、水抜き穴２１２，２２２の下方には水受け穴３７１，３９１が開口されているので、前記水は水受け穴３７１，３９１内に落下する。
水受け穴３７１に落下した水は、レール支持部１２２Ｂの切欠を介して排水路２３０に流入し、排水孔２３２を介して排水弁部材２３３から室外に排出される。
一方、水受け穴３９１に落下した水は、レール支持部１２１Ｂの切欠を介して排水路２４０に流入し、さらに、排水孔２４２，３６１を介して排水路２３０に流入し、排水孔２３２を介して排水弁部材２３３から室外に排出される。
【００５０】
このような本実施形態によれば、以下のような効果がある。
（１）障子１５Ａ，１５Ｂの框内に浸入した水を排出する水抜き穴２１２，２２２を障子の下面に形成し、下枠１２に、障子１５Ａ，１５Ｂを閉めた際に前記水抜き穴２１２，２２２の下方に位置する水受け穴３７１，３９１を形成し、水受け穴３７１，３９１内に流入した水を室外側まで案内する排水路２３０，２４０を形成したので、下枠１２上面が略フラットなサッシであっても、障子１５Ａ，１５Ｂから排出された水が下枠１２の上面に残ることを防止できる。このため、水が室内側から視認されることもなく、ユーザーに安心感を与えることができるとともに、室内側への漏水を防止することができる。
【００５１】
（２）また、前記水抜き穴２１２，２２２、水受け穴３７１，３９１、排水路２３０，２４０は、気密ラインの室内側の空間に形成され、排水路２３０，２４０に流入した水は、排水弁２３４を有する排水弁部材２３３を介して室外側に排出される。このため、排水路２３０，２４０内の水が排水弁２３４を介して室外空間に排出される時以外は、室内空間に位置するこれらの部分が室外空間と連通することがないので、断熱性が損なわれることがないと共に、風等によって排水路２３０，２４０内の水が室内側に吹き込むこともなく、室内側への漏水をより確実に防止できる。
【００５２】
（３）障子１５Ａ，１５Ｂにおいては、縦框１８、下框１７の中空部分を排水路１７７，１８７として利用しており、水抜き穴２１２，２２２は摺動片２１０，２２０に形成しているので、框の加工は排水孔１７８、開口１８４のみでよく、簡単に製造できる。
また、水抜き穴２１２，２２２を、戸先框１８Ｃ，１８Ｄに設けられた摺動片２１０，２２０に形成しているので、下枠１２に形成する水受け穴３７１，３９１を下枠１２の両端部に形成できる。このため、レール部３０が設けられていないコーナー部分に水受け穴３７１，３９１を形成でき、このため、水受け穴３７１，３９１の形成位置や大きさの制限が少なくなり、水抜き穴２１２，２２２から落下する水を確実に受けることができる。さらに、コーナー部材３７，３９に水受け穴３７１，３９１を形成しているので、レール部３０に水受け穴３７１，３９１を形成する必要が無く、下枠１２の加工が不要になって容易に製造できる。
【００５３】
（４）内障子側排水路２４０が形成された室内側凹溝部１２１Ｄには、室内側上面部材３３が取り付けられて、レール支持部１２１Ｂの下方に形成される内障子側排水路２４０を室内側から視認できないように被覆しているので、排水路２４０に流入した水が利用者に視認されることがなく、意匠性を損なうこともない。
また、室内側上面部材３３は着脱可能であるため、排水路２４０の清掃も容易に行うことができる。
同様に、排水路２３０部分は、レール間上面部材３２で上方が塞がれて被覆されているので、排水路２３０に流入した水が利用者に視認されることがなく、意匠性を損なうこともない。また、レール間上面部材３２も着脱可能であるため、排水路２３０の清掃も容易に行うことができる。
【００５４】
（５）下枠１２に取り付けた室内外の各レール部３０Ａ，３０Ｂ、室内外の各気密材３１Ａ，３１Ｂ、レール間上面部材３２、室内側上面部材３３、および網戸レール３４の上端が略同一高さ位置に設けられているので、下枠１２の上面をフラットに形成することができ下枠１２の上面を足で踏んだ際の違和感や、車いすで通過する際のがたつき等を減少させて、バリアフリー対応可能な引違い窓１０を構成することができる。
【００５５】
（６）また、レール間上面部材３２や室内側上面部材３３、網戸レール３４を取り外すことで、レール部３０を取り外すことなくレール間凹溝部１２５や室内外の凹溝部１２１Ｄ，１２２Ｄの清掃ができるので、清掃時に障子１５が脱落するおそれもなく、清掃作業を安心して実行することができる。
【００５６】
（７）さらに、下枠１２の外観上目立つ部分であるレール間上面部材３２や室内側上面部材３３、網戸レール３４を、障子１５を支持するレール部３０と別部材で構成したので、これらの各部材３２，３３，３４で重い障子１５を支持する必要がなく、かつ障子１５による傷もつかないため、これらの各部材３２，３３，３４には強度や耐摩耗性等がさほど要求されず、木目模様のラミネートフィルムを貼り付ける等の各種のデザインを施す、あるいはデザイン性を有する樹脂で各部材３２，３３，３４を形成することができ、下枠１２の外観意匠性を向上させることができる。
【００５７】
（８）また、レール部３０が下枠１２の長手方向に関して途中に継ぎ目のない１本の連続した部材から構成されるので、障子１５を開閉操作する際に、戸車１７４が継ぎ目に引っ掛かってガタついたり音が鳴ったりすることなく、障子１５の戸車１７４を円滑に案内することができる。
【００５８】
（９）さらに、レール部３０が下枠本体１２４に対して着脱自在になっているので、レール部３０が傷ついた場合であっても、レール部３０を交換することができる。また、障子１５の戸車１７４の形態に応じて、レール部３０の戸車案内部３０１，３０２を凸状や凹状などに変更した場合にも、下枠本体１２４の形状を変更する必要がなく、レール部３０のみを交換するだけで対応することができる。
【００５９】
（10）また、室内外の気密材３１Ａ，３１Ｂの室外側に各々隙間が形成され、これらの隙間に挿入された障子１５の垂下片１７５に気密材３１Ａ，３１Ｂが当接することで、下枠１２と障子１５との間の気密ラインが形成される。そして、気密材３１Ａ，３１Ｂに沿って設けられる隙間の幅寸法としては、垂下片１７５が挿入可能な最小限の寸法を有していればよく、最小限の隙間を設けるだけで気密ラインを形成することができるので、大きな隙間や凹凸を設ける必要がないことから、下枠１２上面をさらにフラットに形成することができる。
【００６０】
（11）さらに、気密材３１Ａ，３１Ｂに沿った隙間に障子１５の垂下片１７５を挿入することで、窓の外観上、障子１５下端縁と下枠１２上面との隙間が見えず、外観意匠性が向上するとともに、障子１５下端と下枠１２との間に室外側からバール等の工具を差し込んで障子１５を外す行為が防止でき、防犯性を向上させることができる。
【００６１】
（12）また、気密材３１Ａ，３１Ｂが下枠１２の上面側から着脱可能に設けられているので、気密材３１Ａ，３１Ｂが摩耗した場合であっても、下枠１２の上方から容易に気密材３１Ａ，３１Ｂを交換することができる。
【００６２】
（13）また、レール間上面部材３２が下枠１２の長手方向途中位置で四分割されているので、障子１５を窓枠１４のいずれか一方側に寄せるだけで、障子１５を外さなくてもレール間上面部材３２を容易に脱着することができる。
【００６３】
（14）また、図４に示すように、レール部３０の戸車案内部３０１を凸状に形成し、気密材３１の上端よりも上方に設ければ、下枠１２の上面を通行する際の足裏や車いすの車輪が気密材３１に直接接触することが避けられ、気密材３１の摩耗や変形等を防止し、長寿命化することができる。一方、図９に示すように、レール部３０の戸車案内部３０２を凹状に形成し、レール部３０および気密材３１の上端をフラットにすれば、気密材３１を滑り止めとして機能させることができる。
【００６４】
（15）また、室内部材１２１と室外部材１２２とが断熱部材１２３で連結された下枠本体１２４において、障子１５を閉じた際に室内側空間に位置する室内側のレール部３０Ａ、室内側上面部材３３、および気密材３１Ａを室内部材１２１に設け、障子１５を閉じた際に室内側空間に位置するレール間上面部材３２Ａ，３２Ｂを樹脂製とすることで、断熱サッシである引違い窓１０の断熱効果を確実にすることができる。
【００６５】
なお、本発明は、前記各実施形態に限定されるものではなく、本発明の目的を達成できる他の構成等を含み、以下に示すような変形等も本発明に含まれる。
例えば、前記実施形態は、外障子１５Ｂ、内障子１５Ａを備える引違い窓であったが、本発明は、一方の障子のみが可動とされた片引き窓においても適用可能である。
また、本発明は、障子を案内するレールを備えたサッシ窓に限らず、開き窓や辷り出し窓でもよく、要するに、障子を閉めた際に、障子下面に形成された水抜き穴と下枠に形成した水受け穴とが上下方向に揃って配置されるように構成できるサッシ窓であればよい。
【００６６】
また、前記実施形態では、下枠１２の凹溝部分で排水路２３０，２４０を形成していたが、下枠に中空部を形成し、この中空部で排水路を構成してもよい。但し、前記実施形態のように構成すれば、レール間上面部材３２や室内側上面部材３３を取り外すことで排水路を清掃できる利点がある。
【００６７】
障子１５Ａ，１５Ｂの水抜き穴２１２，２２２は、戸先框１８Ｃ，１８Ｄの摺動片２１０，２２０に形成するものに限らず、召合せ框１８Ａ，１８Ｂの摺動片に形成してもよいし、摺動片に形成せずに下框１７に形成してもよい。
また、下枠１２の水受け穴３７１，３９１も、水抜き穴２１２，２２２の位置に応じて、下枠１２の長手方向中間部つまりレール部３０が形成された部分に形成してもよい。
【００６８】
前記実施形態では、レール部３０を下枠本体１２４に対して着脱可能に取り付けたが、これに限らず、レール部を下枠本体に一体に形成してもよく、またレール部を途中で複数に分割してもよい。
【００６９】
また、前記実施形態では、窓枠１４の各枠材１１，１２，１３や障子１５の各框材１６，１７，１８を室内部材、室外部材、および断熱部材から構成したが、これに限らず、各枠材や框材を一体のアルミ形材製としてもよく、また断熱部材を用いずに、樹脂押出形材製の室内部材とアルミ押出形材製の室外部材とを連結した複合サッシとしてもよい。
また、前記実施形態では、レール部３０の室外側に隣接して気密材３１を取り付け、気密材３１の室外側に障子１５の垂下片１７５を挿入する隙間を設けたが、このような構成に限定されない。例えば、障子１５の垂下片１７５に気密材３１を設け、下枠１２に当接させてもよい。
【００７０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００７１】
【図１】本発明の第１実施形態に係るサッシ窓が設けられた建物の一部を示す断面図である。
【図２】前記サッシ窓を示す縦断面図である。
【図３】前記サッシ窓を示す横断面図である。
【図４】前記サッシ窓における下枠を示す縦断面図である。
【図５】前記下枠を示す斜視図である。
【図６】前記下枠を示す分解斜視図である。
【図７】前記下枠の中央部分を断面して示す斜視図である。
【図８】前記下枠の中央部分を断面して示す分解斜視図である。
【図９】前記実施形態の変形例に係る下枠を示す縦断面図である。
【図１０】前記実施形態の外障子の下框における排水構造を示す概略斜視図である。
【図１１】前記外障子の縦框における排水構造を示す概略斜視図である。
【図１２】前記外障子の摺動片を示す斜視図である。
【図１３】前記下枠の外障子側のコーナー部材を示す斜視図である。
【図１４】前記コーナー部材を示す斜視図である。
【図１５】前記コーナー部材を示す斜視図である。
【図１６】前記外障子の排水経路を示す断面図である。
【図１７】前記実施形態の内障子の下框における排水構造を示す概略斜視図である。
【図１８】前記内障子の縦框における排水構造を示す概略斜視図である。
【図１９】前記内障子の摺動片を示す斜視図である。
【図２０】前記下枠の内障子側のコーナー部材を示す斜視図である。
【図２１】前記コーナー部材を示す斜視図である。
【図２２】前記コーナー部材を示す斜視図である。
【図２３】前記内障子の排水経路を示す断面図である。
【図２４】前記内障子の排水経路を示す断面図である。
【符号の説明】
【００７２】
１０…サッシ窓である引違い窓、１１…上枠、１２…下枠、１３…縦枠、１４…窓枠、１５…障子、１６…上框、１７…下框、１８…縦框、３０…レール部、３１…気密材、３２…レール間上面部材、３３…室内側上面部材、３４…室外側上面部材である網戸レール、３７，３９…コーナー部材、３８…風止板、１２４…下枠本体、１７５…垂下片、１７６，１８６…保持溝、１７７，１８７…排水路、１７８…排水孔、１８４…開口、２１０，２２０…摺動片、２１１，２２１…蓋部、２１２，２２２…水抜き穴、２３０，２４０…排水路、２３２…排水孔、２３３…排水弁部材、２３４…排水弁（逆止弁）、２４２，３６１…排水孔、３７１，３９１…水受け穴。３０１…戸車案内部。
【図１】
2005256485.tif 000003
【図２】
2005256485.tif 000004
【図３】
2005256485.tif 000005
【図４】
2005256485.tif 000006
【図５】
2005256485.tif 000007
【図６】
2005256485.tif 000008
【図７】
2005256485.tif 000009
【図８】
2005256485.tif 000010
【図９】
2005256485.tif 000011
【図１０】
2005256485.tif 000012
【図１１】
2005256485.tif 000013
【図１２】
2005256485.tif 000014
【図１３】
2005256485.tif 000015
【図１４】
2005256485.tif 000016
【図１５】
2005256485.tif 000017
【図１６】
2005256485.tif 000018
【図１７】
2005256485.tif 000019
【図１８】
2005256485.tif 000020
【図１９】
2005256485.tif 000021
【図２０】
2005256485.tif 000022
【図２１】
2005256485.tif 000023
【図２２】
2005256485.tif 000024
【図２３】
2005256485.tif 000025
【図２４】
2005256485.tif 000026